(57)【要約】  天井に対して物体を固定するためのデバイスが、ねじ山付きロッド、ブラケット、およびばね付きタブを備える。ばね付きタブは、外側表面を有するタブ部分を有する。タブ部分は、ねじ山付きロッドに対して垂直な軸を中心として回転可能である。デバイスが物体に対して装着され、物体が天井に対する設置のために天井の開口内に移動される場合に、タブ部分は、物体が開口を通過するのを可能にするように延伸位置から付勢される。その後、タブ部分は、物体が天井開口内でタブにより一時的に支持され得るように、その延伸位置へと戻る。ブラケットは、取外しプロセスの最中に、物体が天井開口から取り外されるのを可能にするようにブラケットの一部分が延伸位置から内方へとタブ部分を付勢するように構成される。
2019537912.tif 000002
【特許請求の範囲】
【請求項１】
天井に対して物体を固定するためのデバイスであって、
ロッド軸、ドライバツールを受けるための第１の端部、および第２の端部を有するねじ山付きロッドと、
前記物体の側部に対して固定された第１のブラケット部分と、前記ねじ山付きロッドの前記第２の端部に係合する第２のブラケット部分とを有するブラケットと、
停止表面および前記ねじ山付きロッドと係合されるねじ山付き通路を含む第１のタブ部分と、外側表面を有する第２のタブ部分と、前記第１のタブ部分および前記第２のタブ部分と連携状態にあるばね機構とを有するばね付きタブであって、前記第２のタブ部分は、前記外側表面が前記ロッド軸に対して略平行である第１の角度位置と、前記第２のタブ部分が前記第１のタブ部分の前記停止表面に係合する第２の角度位置との間において前記ロッド軸に対して略垂直な軸を中心として回転可能である、ばね付きタブと
を備え、
前記デバイスが前記物体に対して装着され、前記第２のタブ部分の前記外側表面が前記天井の開口の側部と接触状態になるように前記物体が前記開口を通り前方に移動する場合に、前記第２のタブ部分は、前記第２の角度位置から前記第１の角度位置に向かって付勢され、前記第２のタブ部分が前記開口の前記側部ともはや接触状態ではなくなるように前記物体が前記開口を通り前方へとさらに移動される場合に、前記第２のタブ部分は、前記外側表面が前記第２の角度位置になるように、前記第１のタブ部分の前記停止表面に係合する、デバイス。
【請求項２】
前記ねじ山付きロッドの前記第２の端部に対して装着された袋ナットをさらに備え、前記袋ナットは、前記ねじ山付きロッドが前記第２のブラケット部分から後退するのを防止する、請求項１に記載のデバイス。
【請求項３】
前記ブラケットは第３のブラケット部分を有し、前記物体が前記天井の前記開口を通り下方へと逆方向に移動するように前記ねじ山ロッドが回転される場合に、前記第３のブラケット部分は、前記第２の角度位置から前記第１の角度位置に向かって前記第２のタブ部分を付勢するように前記第２のタブ部分の前記外側表面に係合する、請求項１に記載のデバイス。
【請求項４】
前記ばね付きタブは、前記第１のタブ部分および前記第２のタブ部分に対して装着されたばねワイヤを備える、請求項１に記載のデバイス。
【請求項５】
前記ばねワイヤは、前記第１のタブ部分の前記停止表面に対して前記第２のタブ部分を付勢するように構成される、請求項４に記載のデバイス。
【請求項６】
前記ねじ山付きロッドは、ねじであり、前記ねじ山付きロッドの前記第１の端部は、スクリュードライバを受けるように構成されたねじヘッドを備える、請求項１に記載のデバイス。
【請求項７】
前記第２のタブ部分は、天井クランプ表面を有し、前記外側表面が前記第２の角度位置なるように前記第２のタブ部分が前記第１のタブ部分の前記停止表面に係合した後に、前記天井クランプ表面は、前記物体を支持するように前記天井の上部表面に当接する、請求項１に記載のデバイス。
【請求項８】
前記第２のタブ部分の前記天井クランプ表面が前記天井の前記上部表面に当接する場合に、前記ロッド軸を中心とする前記ねじ山付きロッドの回転により、前記天井の一部分が前記天井クランプ表面と前記物体の一部分との間で固定されるまで前記物体が前記天井の前記開口を通りさらに移動される、請求項７に記載のデバイス。
【請求項９】
前記物体はスピーカシステムである、請求項１に記載のデバイス。
【請求項１０】
シーリングスピーカシステムであって、
少なくとも１つの電気音響ドライバおよび筐体を有するスピーカシステムと、
ロッド軸、ドライバツールを受けるための第１の端部、および第２の端部をそれぞれが有する複数のねじ山付きロッドと、
前記筐体の側部に対して固定された第１のブラケット部分と、前記ねじ山付きロッドのそれぞれの前記第２の端部に係合する第２のブラケット部分とをそれぞれが有する複数のブラケットと、
停止表面および前記ねじ山付きロッドのそれぞれに係合するねじ山付き通路を含む第１のタブ部分と、外側表面を有する第２のタブ部分と、前記第１のタブ部分および前記第２のタブ部分と連携状態にあるばね機構とをそれぞれが有する複数のばね付きタブであって、前記第２のタブ部分は、前記外側表面が前記ロッド軸に対して略平行である第１の角度位置と、前記第２のタブ部分が前記第１のタブ部分の前記停止表面に係合する第２の角度位置との間において前記ロッド軸に対して略垂直な軸を中心として回転可能である、複数のばね付きタブと、
を備え、
前記第２のタブ部分の前記外側表面が前記天井の開口の側部と接触状態になるように前記スピーカシステムが前記開口を通り前方に移動する場合に、前記第２のタブ部分は、前記第２の角度位置から前記第１の角度位置に向かって付勢され、前記外側表面が前記開口の前記側部ともはや接触状態ではなくなるように前記スピーカシステムが前記開口を通り前方へとさらに移動される場合に、前記第２のタブ部分は、前記外側表面が前記第２の角度位置になるように、前記第１のタブ部分の前記停止表面に係合する、シーリングスピーカシステム。
【請求項１１】
前記ブラケットのそれぞれが、第３のブラケット部分を有し、前記スピーカシステムが前記天井の前記開口を通り下方へと逆方向に移動するように前記ねじ山付きロッドが回転される場合に、前記第３のブラケット部分は、前記第２の角度位置から前記第１の角度位置に向かって前記第２のタブ部分を付勢するように前記第２のタブ部分の前記外側表面に係合する、請求項１０に記載のシーリングスピーカシステム。
【請求項１２】
第１の水平方向軸に沿った前記筐体の幅が、前記第１の水平方向軸に沿った前記開口の幅よりも小さく、前記第１の水平方向軸に沿った前記筐体の前記幅と、前記ばね付きタブの中の少なくとも１つの前記第１の軸に沿った最大水平方向延伸長さとの和が、前記開口の水平方向幅よりも大きい、請求項１０に記載のシーリングスピーカシステム。
【請求項１３】
前記ばね付きタブのそれぞれの前記第２のタブ部分は、天井クランプ表面を有し、前記外側表面が前記第２の角度位置になるように前記第２のタブ部分が前記第１のタブ部分の前記停止表面に係合した後に、前記天井クランプ表面は、物体を支持するように前記天井の上部表面に当接する、請求項１０に記載のシーリングスピーカシステム。
【請求項１４】
前記第２のタブ部分の前記天井クランプ表面が前記天井の前記上部表面に当接する場合に、前記ロッド軸を中心とする前記ねじ山付きロッドの回転により、前記天井の一部分が前記天井クランプ表面と前記物体の一部分との間で固定されるまで前記物体が前記天井の前記開口を通りさらに移動される、請求項１３に記載のシーリングスピーカシステム。
【請求項１５】
天井に対して物体を固定するためのデバイスであって、
ロッド軸と、ドライバツールを受けるためのヘッドと、前記ヘッドの対向側に位置する端部とを有するねじ山付きロッドと、
前記ねじ山付きロッドの前記端部に対して固定された袋ナットと、
前記物体の側部に対して装着されるように構成された第１のブラケット部分と、前記ねじ山付きロッドの前記端部にて前記袋ナットに係合する第２のブラケット部分と、前記第２のブラケット部分の対向側に位置する前記ブラケットの端部に位置する第３のブラケット部分とを有するブラケットと、
停止表面および前記ねじ山付きロッドと係合されるねじ山付き通路を含む第１のタブ部分と、外側表面を有する第２のタブ部分と、前記第１のタブ部分および前記第２のタブ部分と連携状態にあるばね機構とを有するばね付きタブであって、前記第２のタブ部分は、前記外側表面が前記ロッド軸に対して略平行である第１の角度位置と、前記第２のタブ部分が前記第１のタブ部分の前記停止表面に係合する第２の角度位置との間において前記ロッド軸に対して略垂直な軸を中心として回転可能である、ばね付きタブと
を備え、
前記デバイスが前記物体に対して装着され、前記第２のタブ部分の前記外側表面が前記天井の開口の側部と接触状態になるように前記物体が前記開口を通り前方に移動する場合に、前記第２のタブ部分は、前記第２の角度位置から前記第１の角度位置に向かって付勢され、前記第２のタブ部分が前記開口の前記側部ともはや接触状態ではなくなるように前記物体が前記開口を通り前方へとさらに移動される場合に、前記第２のタブ部分は、前記外側表面が前記第２の角度位置になるように前記第１のタブ部分の前記停止表面に係合し、前記物体が前記天井の前記開口を通り下方へと逆方向に移動するように前記ねじ山付きロッドが回転される場合に、前記第３のブラケット部分は、前記第２の角度位置から前記第１の角度位置に向かって前記第２のタブ部分を付勢するように前記第２のタブ部分の前記外側表面に係合する、デバイス。
【請求項１６】
前記ばね機構がばねワイヤを備える、請求項１５に記載のデバイス。
【請求項１７】
前記ばねワイヤは、前記第１のタブ部分の前記停止表面に対して前記第２のタブ部分を付勢するように構成される、請求項１６に記載のデバイス。
【請求項１８】
前記第２のタブ部分は、天井クランプ表面を有し、前記外側表面が前記第２の角度位置になるように前記第２のタブ部分が前記第１のタブ部分の前記停止表面に係合した後に、前記天井クランプ表面は、前記物体を支持するように前記天井の上部表面に当接する、請求項１５に記載のデバイス。
【請求項１９】
前記第２のタブ部分の前記天井クランプ表面が前記天井の前記上部表面に当接する場合に、前記ロッド軸を中心とする前記ねじ山付きロッドの回転により、前記天井の一部分が前記天井クランプ表面と前記物体の一部分との間で固定されるまで前記物体が前記天井の前記開口を通りさらに移動される、請求項１８に記載のデバイス。
【発明の詳細な説明】
【技術分野】
【０００１】
本開示は、天井に対してスピーカシステムを取り付けるためのデバイスに関する。これらのデバイスは、設置プロセス中に一時的な支持を与え、設置プロセスを完了させるために天井に対してスピーカシステムをクランプ固定する。
【発明の概要】
【課題を解決するための手段】
【０００２】
一態様では、天井に対して物体を固定するためのデバイスが、ねじ山付きロッド、ブラケット、およびばね付きタブを備える。ねじ山付きロッドは、ロッド軸、ドライバツールを受けるための第１の端部、および第２の端部を有する。ブラケットは、物体の側部に対して固定された第１のブラケット部分と、ねじ山付きロッドの第２の端部に係合する第２のブラケット部分とを有する。ばね付きタブは、停止表面およびねじ山付きロッドと係合状態にあるねじ山付き通路を備える第１のタブ部分と、外側表面を有する第２のタブ部分と、第１のタブ部分および第２のタブ部分と連携状態にあるばね機構とを有する。第２のタブ部分は、外側表面がロッド軸に対して実質的に平行である第１の角度位置と、第２のタブ部分が第１のタブ部分の停止表面に係合する第２の角度位置との間においてロッド軸に対して実質的に垂直な軸を中心として回転可能である。デバイスが物体に対して装着され、第２のタブ部分の外側表面が天井の開口の側部と接触状態になるように物体が開口を通り前方に移動する場合に、第２のタブ部分は、第２の角度位置から第１の角度位置に向かって付勢される。第２のタブ部分が開口の側部ともはや接触状態ではなくなるように物体が開口を通り前方へとさらに移動される場合に、第２のタブ部分は、外側表面が第２の角度位置に置かれるように、第１のタブ部分の停止表面に係合する。
【０００３】
例は、以下の特徴の中の１つまたは複数を備え得る。
【０００４】
物体は、スピーカシステムであってもよい。
【０００５】
デバイスは、ねじ山付きロッドの第２の端部に対して装着された袋ナットをさらに備えることにより、ねじ山付きロッドが第２のブラケット部分から後退するのを防止し得る。
【０００６】
ブラケットは、第３のブラケット部分を有し、それにより、物体が天井の開口を通り下方へと逆方向に移動するようにねじ山ロッドが回転される場合に、第３のブラケット部分は、第２の角度位置から第１の角度位置に向かって第２のタブ部分を付勢するように第２のタブ部分の外側表面に係合する。
【０００７】
ばね付きタブは、第１のタブ部分および第２のタブ部分に対して装着されたばねワイヤを備え得る。ばねワイヤは、第１のタブ部分の停止表面に対して第２のタブ部分を付勢するように構成され得る。
【０００８】
ねじ山付きロッドは、ねじであってもよく、ねじ山付きロッドの第１の端部は、スクリュードライバを受けるように構成されたねじヘッドを備え得る。
【０００９】
第２のタブ部分は、天井クランプ表面を有してもよく、外側表面が第２の角度位置に置かれるように第２のタブ部分が第１のタブ部分の停止表面に係合した後に、天井クランプ表面は、物体を支持するように天井の上部表面に当接する。第２のタブ部分の天井クランプ表面が天井の上部表面に当接する場合に、ロッド軸を中心とするねじ山付きロッドの回転により、天井の一部分が天井クランプ表面と物体の一部分との間で固定されるまで、物体が天井の開口を通りさらに移動される。
【００１０】
別の態様によれば、シーリングスピーカシステムが、少なくとも１つの電気音響ドライバおよび筐体を有するスピーカシステムを備える。また、シーリングスピーカシステムは、複数のねじ山付きロッド、複数のブラケット、および複数のばね付きタブを備える。各ねじ山付きロッドは、ロッド軸、ドライバツールを受けるための第１の端部、および第２の端部を有する。各ブラケットは、筐体の側部に対して固定された第１のブラケット部分と、ねじ山付きロッドのそれぞれの第２の端部に係合する第２のブラケット部分とを有する。各ばね付きタブは、停止表面およびねじ山付きロッドのそれぞれに係合するねじ山付き通路を備える第１のタブ部分と、外側表面を有する第２のタブ部分と、第１のタブ部分および第２のタブ部分と連携状態にあるばね機構とを有する。第２のタブ部分は、外側表面がロッド軸に対して実質的に平行である第１の角度位置と、第２のタブ部分が第１のタブ部分の停止表面に係合する第２の角度位置との間においてロッド軸に対して実質的に垂直な軸を中心として回転可能である。第２のタブ部分の外側表面が天井の開口の側部と接触状態になるようにスピーカシステムが開口を通り前方に移動する場合に、第２のタブ部分は、第２の角度位置から第１の角度位置に向かって付勢される。外側表面が開口の側部ともはや接触状態ではなくなるようにスピーカシステムが開口を通り前方へとさらに移動される場合に、第２のタブ部分は、外側表面が第２の角度位置に置かれるように、第１のタブ部分の停止表面に係合する。
【００１１】
例は、以下の特徴の中の１つまたは複数を備え得る。
【００１２】
ブラケットのそれぞれが、第３のブラケット部分を有してもよく、スピーカシステムが天井の開口を通り下方へと逆方向に移動するようにねじ山付きロッドが回転される場合に、第３のブラケット部分は、第２の角度位置から第１の角度位置に向かって第２のタブ部分を付勢するように第２のタブ部分の外側表面に係合する。
【００１３】
第１の水平方向軸に沿った筐体の幅が、第１の水平方向軸に沿った開口の幅よりも小さくてもよく、第１の水平方向軸に沿った筐体の幅と、ばね付きタブの中の少なくとも１つの第１の軸に沿った最大水平方向延伸長さとの和が、開口の水平方向幅よりも大きくてもよい。
【００１４】
ばね付きタブのそれぞれの第２のタブ部分は、天井クランプ表面を有してもよく、外側表面が第２の角度位置に置かれるように第２のタブ部分が第１のタブ部分の停止表面に係合した後に、天井クランプ表面は、物体を支持するように天井の上部表面に当接する。第２のタブ部分の天井クランプ表面が天井の上部表面に当接する場合に、ロッド軸を中心とするねじ山付きロッドの回転により、天井の一部分が天井クランプ表面と物体の一部分との間で固定されるまで物体が天井の開口を通りさらに移動される。
【００１５】
さらに別の態様によれば、天井に対して物体を固定するためのデバイスが、ねじ山付きロッド、袋ナット、ブラケット、およびばね付きタブを備える。ねじ山付きロッドは、ロッド軸と、ドライバツールを受けるためのヘッドと、ヘッドの対向側に位置する端部とを有する。袋ナットは、ねじ山付きロッドの端部に対して固定される。ブラケットは、物体の側部に対して装着されるように構成された第１のブラケット部分と、ねじ山付きロッドの端部にて袋ナットに係合する第２のブラケット部分と、第２のブラケット部分の対向側に位置するブラケットの端部に位置する第３のブラケット部分とを有する。ばね付きタブは、停止表面およびねじ山付きロッドと係合状態にあるねじ山付き通路を備える第１のタブ部分と、外側表面を有する第２のタブ部分と、第１のタブ部分および第２のタブ部分と連携状態にあるばね機構とを有する。第２のタブ部分は、外側表面がロッド軸に対して実質的に平行である第１の角度位置と、第２のタブ部分が第１のタブ部分の停止表面に係合する第２の角度位置との間においてロッド軸に対して実質的に垂直な軸を中心として回転可能である。デバイスが物体に対して装着され、第２のタブ部分の外側表面が天井の開口の側部と接触状態になるように物体が開口を通り前方に移動する場合に、第２のタブ部分は、第２の角度位置から第１の角度位置に向かって付勢される。第２のタブ部分が開口の側部ともはや接触状態ではなくなるように物体が開口を通り前方へとさらに移動される場合に、第２のタブ部分は、外側表面が第２の角度位置に置かれるように、第１のタブ部分の停止表面に係合する。物体が天井の開口を通り下方へと逆方向に移動するようにねじ山付きロッドが回転される場合に、第３のブラケット部分は、第２の角度位置から第１の角度位置に向かって第２のタブ部分を付勢するように第２のタブ部分の外側表面に係合する。
【００１６】
例は、以下の特徴の中の１つまたは複数を備え得る。
【００１７】
ばね機構は、ばねワイヤを備え得る。ばねワイヤは、第１のタブ部分の停止表面に対して第２のタブ部分を付勢するように構成され得る。
【００１８】
第２のタブ部分は、天井クランプ表面を有してもよく、外側表面が第２の角度位置に置かれるように第２のタブ部分が第１のタブ部分の停止表面に係合した後に、天井クランプ表面は、物体を支持するように天井の上部表面に当接する。第２のタブ部分の天井クランプ表面が天井の上部表面に当接する場合に、ロッド軸を中心とするねじ山付きロッドの回転により、天井の一部分が天井クランプ表面と物体の一部分との間で固定されるまで、物体が天井の開口を通りさらに移動される。
【００１９】
本発明のコンセプトの例の上述のおよびさらなる利点が、添付の図面と組み合わせて以下の説明を参照することによってさらによく理解されよう。図面内において、同様の数字は、様々な図面内における同様の構造要素および特徴部を示す。図は、必ずしも縮尺どおりではなく、特徴および実装形態の原理を示すことにむしろ重点が置かれる。
【図面の簡単な説明】
【００２０】
【図１Ａ】筐体および取付けデバイスを有するシーリングスピーカシステムの図である。
【図１Ｂ】図１Ａのシーリングスピーカシステムの底面図である。
【図２】筐体の一側部の凹状部分に対して装着されるような図１Ａにおける単一の取付けデバイスを示す。
【図３Ａ】図２のブラケットの斜視図である。
【図３Ｂ】図２のブラケットの正面図である。
【図３Ｃ】図２のブラケットの側面図である。
【図４】図２のばね付きタブの斜視図である。
【図５】図２のばね付きタブの分解図である。
【図６】設置済み構成において１つの取付けデバイスを示す、図１Ａのシーリングスピーカシステムの一部分の破断図である。
【図７Ａ】シーリングスピーカシステム設置プロセスの間のある時点におけるばね付きタブの第２のタブ部分の配向を示す図である。
【図７Ｂ】シーリングスピーカシステム設置プロセスの間のある時点におけるばね付きタブの第２のタブ部分の配向を示す図である。
【図７Ｃ】シーリングスピーカシステム設置プロセスの間のある時点におけるばね付きタブの第２のタブ部分の配向を示す図である。
【図７Ｄ】シーリングスピーカシステム設置プロセスの間のある時点におけるばね付きタブの第２のタブ部分の配向を示す図である。
【図８Ａ】天井からシーリングスピーカシステムを取り外すためのプロセスの間のある時点におけるばね付きタブの第２のタブ部分の配向を示す図である。
【図８Ｂ】天井からシーリングスピーカシステムを取り外すためのプロセスの間のある時点におけるばね付きタブの第２のタブ部分の配向を示す図である。
【図８Ｃ】天井からシーリングスピーカシステムを取り外すためのプロセスの間のある時点におけるばね付きタブの第２のタブ部分の配向を示す図である。
【図９Ａ】説明される取付けデバイスにおけるねじ山付き部材として使用され得るねじの例を示す図である。
【図９Ｂ】説明される取付けデバイスにおけるねじ山付き部材として使用され得るねじの例を示す図である。
【図１０Ａ】図９Ａのねじと共に使用され得るオーバートルク防止デバイスの一例の前方斜視図である。
【図１０Ｂ】図９Ａのねじと共に使用され得るオーバートルク防止デバイスの一例の後方斜視図である。
【図１１Ａ】図９Ｂのねじと共に使用され得るオーバートルク防止デバイスの一例の前方斜視図である。
【図１１Ｂ】図９Ｂのねじと共に使用され得るオーバートルク防止デバイスの一例の後方斜視図である。
【発明を実施するための形態】
【００２１】
スピーカシステムおよび他の物体または構造物は、天井などの様々な構造物に対してしばしば表面取付けされる。種々のタイプのアンカーシステムが、取付基体に対してスピーカシステムを容易に固定するために使用され得る。以下で説明される天井に対して物体を固定するためのデバイスの様々な例では、ばね付きタブが、設置プロセスの最中に一時的支持を与えるために使用される。これらの説明される例では、天井に設置された物体の容易な取外しを可能にする利点を有する。特に、これらのデバイスは、物体が干渉することなく天井の開口を通過し得るように、ばね付きタブが天井に対する設置および天井からの取外しの最中に後退するのを可能にする。
【００２２】
以下において説明される様々なデバイスおよびシステムでは、「ブラケット」は、壁部に対して装着され得る、ならびに別の物体または構造物を支持または保持するために使用され得る物体を指す。「固定部材」は、２つ以上の物体を相互に対して機械的に接合または固着させるために使用されるデバイスまたは構成要素である。「キャップ」は、物体の少なくとも一部分に対して装着され得る蓋またはカバーを備える。本明細書において、天井は、部屋または住居の上方内部構造物を意味する。天井は、水平であってもよく、または水平配向からある角度で傾斜されたものであってもよい。
【００２３】
図１Ａは、筐体１２と、天井に対してシステム１０を取り付けるために使用される４つの取付けデバイス（２つのみが見える）とを備えるシーリングスピーカシステム１０の一例を示す。各デバイスは、ばね付きタブ１４、ブラケット１６、ねじ山付きロッド１８、および袋ナットすなわち六角袋ナット２０を備える。
【００２４】
図１Ｂは、システムベースに矩形グリル２２を有するシステム１０の底面図を示す。例えば、グリル２２は、フランジ２４および／またはグリル２２の上面の磁気コネクタを介してフランジ２４に対して装着され得る。グリル２２は、内部システム構成要素を遮蔽および保護しつつ、スピーカシステム１０により発生する音響信号に対しては実質的に音響透過性を有する。図１Ａおよび図１Ｂにおけるねじ山付きロッドに沿ったばね付きタブ１４の位置および角度配向は、一般的にはそれぞれ異なるが、以下において説明されるように、スピーカシステム１０が天井に設置されると、ねじ山付きロッド１８に対するばね付きタブ１４の位置および角度配向は、通常はそれぞれ同一となる点に気づかれよう。
【００２５】
図２は、ばね付きタブ１４が筐体１２の底部の付近に位置決めされた、筐体１２の一側部の凹状部分に装着された単一の取付けデバイスの図である。ねじ山付きロッド１８は、筐体の隣接する側部に対して実質的に平行であり、スクリュードライバまたはソケットドライバなどのドライバツールを受けるように構成されたヘッドを一方の端部に有し、これにより設置作業者はロッド１８を回転させることが可能となる。袋ナット２０は、ねじ山付きロッド１８の対向側端部に対して装着され、ロッド１８がブラケット１６を貫通して下方へと後退または移動するのを防止すると共に、シーリングスピーカシステムの設置および取外しの最中におけるロッド１８の自体の軸を中心とする自由回転を可能にする。
【００２６】
図３Ａ〜図３Ｃは、それぞれブラケット１６の側面図、正面図、および斜視図である。ブラケット１６は、筐体１２に対してブラケット１６を固定するためにねじ、ボルト、またはリベットを係合または通過させるための開口３８を有する第１のブラケット部分３２を備える。また、ブラケット１６は、一方の端部にて第１のブラケット部分３２から実質的に垂直方向に延在する第２のブラケット部分３４を備え、ブラケット１６の底部に第３のブラケット部分３６を備える。２つの開口４０が、ブラケット１６中に設けられる。開口４０の中の１つにより、ねじ山付きロッド１８は、第１のブラケット部分３２の底部と第３のブラケット部分３６の頂部との間に延在するセクション４２を貫通し得る。他の開口４０は、補助掛止点として使用するための第２のブラケット部分３４中に位置する。
【００２７】
図４および図５は、ばね付きタブ１４のそれぞれ斜視図および分解図を示す。タブ１４は、端部のほぼ円筒形状、ねじ山付きロッド１８に係合するためにねじ山付き通路５１を備える中央領域、およびを停止表面５２有する第１のタブ部分５０を備える。タブ１４は、外側表面５６および天井クランプ表面５７を有する第２のタブ部分５４をさらに備える。一例では、第１のタブ部分５０および第２のタブ部分５４は、アクリロニトリルブタジエンスチレン（ＡＢＳ）または他のプラスチックなどのポリマーから作製される。代替的な例では、第１のタブ部分５０および第２のタブ部分５４は、ダイカストアルミニウムなどの異なる鋳造可能材料または金属から作製され得る。図示するばねワイヤ５８などのばね機構が、第１のタブ部分５０および第２のタブ部分５４に係合する。第２のタブ部分５４は、ねじ山付き通路５１およびロッド軸の両方に対して実質的に垂直である軸６０を中心として回転可能である。タブクランプ６２およびねじ６４が、第２のタブ部分５４に対してばねワイヤ５８の一方の端部を固定し、他方の端部は、第１のタブ部分５０に対して装着される。ばねワイヤ５８は、図４に示すように第１のタブ部分５０に対接した状態に第２のタブ部分５４を維持するが、ばねワイヤ５８のねじり力を克服するのに十分である力が外側表面５６に対して印加されるため、第２のタブ部分５４は、軸６０を中心として下方へと回転する。
【００２８】
図６は、設置構成にある１つの取付けデバイスを示す、シーリングスピーカシステム１０の一部分の破断図を示す。天井開口に隣接する天井のエッジ部分（図示せず）が、スピーカシステムフランジ２４と第２のタブ部分５４の天井接触表面５７との間の間隙内に位置する。設置完了前には、この間隙は、天井の厚みよりも大きいが、ねじ山付きロッド１８が回転されることによりスピーカシステム１０が天井開口を貫通して上方へと上昇されることにより、この間隙は、間隙厚さが天井厚さと同等になるまで縮小する。ねじ山付きロッド１８がさらに回転することにより、フランジ２４と天井接触表面５７との間で天井をクランプ固定する力が結果として上昇する。
【００２９】
天井開口は、シーリングスピーカシステム１０のフランジ２４以外の全てをかろうじて通過させるようにサイズ設定される。より具体的には、開口の長さおよび幅は、スピーカシステム１０のフランジ２４以外の全てが、第２のタブ部分５４を自由に通過し得るが、第２のタブ部分５４の完全延伸位置において設計される第２のタブ部分５４のクランプ範囲よりも大きくはならないように（図７Ａおよび図７Ｄを参照）、筐体１２のベースの長さおよび幅よりも若干大きい。対照的に、天井開口の長さおよび幅は、フランジ２４の長さおよび幅よりも小さい。
【００３０】
次に、天井設置プロセスの種々の時間の最中におけるばね付きタブの第２のタブ部分５４の配向を示す、図７Ａ〜図７Ｄを参照する。設置前に、各ばね付きタブは、軸６０を中心とする（図４を参照、ページ中方向への）および垂直方向に対する角度θ１にてクロージャのベース付近から外側に向かう最大水平方向延伸長さを有する角度位置に位置する。１つの非限定的な数値の例では、角度θ１は、約３０°である。シーリングスピーカシステムおよび筐体が天井６０中の開口を通過することにより、各第２のタブ部分５４の外側表面５６は、この開口において天井６０のエッジ６１と接触状態になる。さらなる上方移動により、第２のタブ部分５４は、図７Ｂに示すように縮小動作角度θ２の範囲内で軸６０に対して回転される。スピーカシステムおよび筐体の上方移動が継続することにより、第２のタブ部分５４は、軸６０を中心として縮小角度θ３まで筐体に向かって内方へと枢動し続け、図７Ｃに示すような垂直配向へと近接する。このようにすることで、タブは、スピーカシステムおよび筐体と共に天井開口を通過するためにその外側延伸長さを縮小する。最終的に、タブは、開口の上部を通過して出現し、第２のタブ部分５４は、角度θ１の初期「ロック」位置へと外側にばね式に戻る。この時点において、設置作業者は、図７Ｄに示すように天井６０の上部表面６６と接触状態にある各第２のタブ部分５４上の天井接触表面５７によってシーリングスピーカシステムが一時的に支持されるように、シーリングスピーカシステムを手放すことが可能となる。したがって、システムは、天井開口を通過して後退せず、支持のために設置作業者を必要としない。好都合にもタブによって定位置に保持される一方で、設置作業者は、スクリュードライバまたは他のドライバツールでねじ山付きロッド（例えばねじ）を回転させることにより、スピーカシステムのフランジが天井６０の下部表面６８と接触状態になるまでシーリングスピーカシステムおよび筐体をさらに上昇させる。ねじ山付きロッドをさらに回転させることにより、フランジと第２のタブ部分５４の天井接触表面５７との間に印加されるクランプ力が結果として印加される。
【００３１】
好ましくは、設置プロセスの前に、ばね付きタブは、天井下部表面６８と接触状態にフランジを置き所望のクランプ力を印加するために設置者がねじ山付きロッドを少ない回転数だけ回転させることが必要となるように、特定の天井厚さに対応するような位置にてねじ山付きロッドの長さに沿って位置決めされる。例えば、２．５ｃｍの天井厚さに対しては、ばね付きタブは、第２のタブ部分５４の天井接触表面５７とスピーカシステムのフランジとの間に約３．０ｃｍの間隙が設けられるように、ロッドに沿った初期位置に設定され得る。
【００３２】
後の時点において、天井からシーリングスピーカシステムを取り外すまたは「設置解除する」ことが望ましい場合がある。システムを取り外すためには、ねじ山付きロッドは、設置プロセスの最中に利用される位置まで逆方向に回転される。これにより、スピーカシステムは、天井開口を通して下げられ、一方で各ばね付きタブは、図８Ａに示すように最大水平方向延伸長さにわたり角度位置φ１において天井に対して固定状態に留まる。この時間の最中に、第２のタブ部分５４の天井接触表面５７は、天井６０の上部表面６６と接触状態に留まるが、ねじ山付きロッドを上方に移動させる。スピーカシステムが、天井開口を下方へと通過し続けることにより、各ブラケットの第３のブラケット部分３６は、第２のタブ部分５４の外側表面５６に係合する。スピーカシステムの後の下方移動により、結果として第３のブラケット部分３６は、図８Ｃに示すように後退したばね付きタブが天井開口のエッジから離れることが可能となるのに十分な小角度φ３に角度位置が置かれるまで、図８Ｂに示すように縮小角度φ２の範囲内において垂直配向に向かって第２のタブ部分５４を付勢する。４つの全てのタブが十分に後退されると、天井からのスピーカシステムの取外しが完了され得る。
【００３３】
上述の例は、シーリングスピーカシステムごとに４つの取付けデバイスを備えるが、他の天井取付構成では、より少数または多数の取付けデバイスがスピーカシステムと共に使用され得ることが理解されよう。さらに、取付けデバイスは、天井に対する他のタイプの物体の取付けのために、および天井からのそれらの便利な取外しを可能にするために使用され得ることが理解されよう。
【００３４】
天井に対するシーリングスピーカシステムの設置において使用されるねじ山付きロッドは、過剰に締め付けられるまたはオーバートルクを印加される恐れがある。結果として、取付けデバイスの１つまたは複数の構成要素（例えばねじ山付きロッド、ブラケット、およびばね付きタブ）が損傷を被る場合がある。取付けデバイスの構成要素が、オーバートルク事象の最中に損傷を被ることを防ぐために強化される場合には、故障は、典型的には取付けデバイスの別の構成要素へと転嫁される。全ての取付けデバイス構成要素が十分に強化される場合には、取付基体が損傷を被る恐れがある。例えば、天井タイル、ポリウッド、またはスピーカシステムを支持するために使用される他のタイプの取付基体が、損傷を被る場合がある。
【００３５】
いくつかの設置において、設置作業者は、所望のトルクレベルまたは最大許容トルクレベルまでトルクが上昇した場合にそのことを感知するのに不十分なフィードバックを設置作業者に対して典型的に提供する電気ドリルを使用する。代替的には、可調節トルクスクリュードライバが、設置に対して所望のクランピング力を実現するために使用される場合があるが、スクリュードライバの最大トルク値が不正確に設定されると、印加トルクが設置に対して不正確なものとなり得る。例えば、その値が過度に低い場合には、シーリングスピーカシステムは、時間の経過と共に緩んだ状態になり、取付基体から離れる場合がある。対照的に、その値が過度に高い場合には、取付けデバイスまたは取付基体は設置中に損傷を被る場合がある。
【００３６】
図９Ａおよび図９Ｂは、上述の取付けデバイスにおけるねじ山付き部材（例えば図１の要素１８）として、またはより一般的には２つ以上の物体が共に固定される用途向けのねじ山付き固定部材として使用され得るねじ７０および８０の例を示す。さらに図２を参照すると、ねじ７０は、ヘッド７２と、ばね付きタブの第１のタブ部分のねじ山付き通路に係合するためのねじ山付き部分７４とを備える。ヘッド７２は、Ｐｈｉｌｌｉｐｓ（登録商標）スクリュードライバの先端部を受けるように構成された「＋」形状の凹状特徴部７６を有する平坦状表面を有する。同様に、ねじ８０は、ヘッド８２およびねじ山付き部分８４を有する。ヘッド８２は、六角レンチソケットなどのドライバツールの六角形状先端部を受けるように構成された六角ソケット凹状特徴部８６を有する平坦状表面を有する。両ヘッド７２および８２は、６つの個々の平表面７８および８８をそれぞれ備える六角形周囲表面を有する。いくつかの実装形態では、ねじ７０または８０は、平表面７８または８８のそれぞれに係合する六角ソケットを有するドライバツールを使用して回転されることも可能である。
【００３７】
さらに、図９Ａのねじ７０と共に使用され得るオーバートルク防止デバイス９０の一例の前方斜視図および後方斜視図をそれぞれ示す図１０Ａおよび図１０Ｂを参照する。デバイス９０は、ねじ７０のヘッド７２に係合するように形状設定された第１の部分９２と、キャップ９０およびねじ７０の両方を回転させるためにトルクを印加するためのドライバツールを受けるように形状設定された表面特徴部９６を有する第２の部分９４とを有するキャップの形態である。キャップ９０は、ねじがより高い耐トルク性を有するように、ねじ材料よりも低いせん断強度を有する材料から形成される。本明細書において、せん断強度は、材料または構成要素がせん断破損するタイプの降伏または構造破損に対する材料の強度である。一例では、キャップ９０は、プラスチックまたは他のポリマーから形成され、ねじは、ステンレス鋼または鋼などの金属から作製され得る。ポリマーは、金属よりも低い強度特性を有し、したがって金属よりも低いせん断値で降伏する。ポリマー材料は、キャップ９０が所定のトルクで降伏するように、その降伏特徴により選択され、適切な形状を有して形成されてもよい。
【００３８】
図１０Ｂに示すように、キャップ９０の第１の部分９２の凹状領域は、ねじ７０のヘッド７２を緊密に受けるようにサイズ設定される。六角形周囲表面の６つの「角」が、第１の部分９２の６つの間隙９８を占める。キャップ９０は、キャップ９０がしっかりと固定されるように緊密な干渉が実現されるようにヘッド７２上に対して押し付けられ得る。次いで、設置作業者は、表面特徴部９６内にドライバツールの先端部を挿入し、ツールを回転させて、ねじ７０を同様に回転させる。回転抵抗が上昇するにつれて、設置作業者は、ねじ７０を回転させるためにトルクを上昇させなければならない。印加トルクがトルク限界値まで上昇すると、キャップ９０は、トルクのさらなる印加を防ぐように変形する。非限定的な数値の例では、キャップ９０は、印加トルクが約１．１Ｎｍ（１０インチポンド）〜約１．７Ｎｍ（１５インチポンド）の範囲内の値まで上昇すると変形する。一例では、トルク限界値に達すると、表面特徴部９６は変形する、磨滅する、または「丸みを帯びる」。したがって、キャップ９０は、トルクをさらに印加するために使用不能となる。代替的な一例では、第１の部分９２の凹状領域は、キャップ９０がねじヘッド７２を緊密に把持できない程度まで変形する。したがって、キャップ９０は、ねじ７０に対する過剰なトルクと、ねじ７０によりクランプ固定または固定されている任意の構造体に対する過剰な力との印加を防止するためのメカニカルフューズとして機能する。
【００３９】
いくつかの例では、変形および設置が実質的に完了した後にキャップ９０を取り外すことが必要となり得る。例えば、図１Ａおよび図１Ｂのねじ山付きロッド１８上におけるキャップ９０の存在は、シーリングスピーカシステム１０に対するグリル２２の取付けに干渉し得る。設置されたキャップ９０は、キャップ９０がねじヘッド７２から取り外されるのを可能にするための取外しツールを受けるように形状設定された２つの平行な表面１００の形態の第３の部分を備える。例えば、表面１００はプライヤにより把持されてもよく、次いでキャップ９０がねじヘッド７２から引かれる。有利には、さらにこれは、スピーカシステムが天井から取り外されるべき場合に、ねじヘッド７２を露出させ、ドライバツールがねじ山付きロッド１８を回転させるのを可能にする。
【００４０】
代替的な一例では、キャップは、手がドライバツールとして機能するのを可能にする２つ以上の突出部を有して形状設定される。設置作業者は、突出部を把持し、トルク限界値に達し得るトルクを印加するために手によってキャップを回転させる。１つのかかる実装形態では、キャップの外側構造体は、容易な捜査のために蝶ナット状に形状設定される。
【００４１】
次に、図９Ｂのねじ８０と共に使用され得るオーバートルク防止デバイス１１０の一例の前方斜視図および後方斜視図をそれぞれ示す図１１Ａおよび図１１Ｂを参照する。デバイス１１０は、図１０Ａおよび図１０Ｂのキャップ９０のものと同様の特徴部が同様の参照数字により示されたキャップの形態であるが、第１の部分９２の凹状領域は、ねじヘッド８２の六角ソケット凹状特徴部８６に緊密に合致するようにサイズ設定された六角レンチ延長部１１２を備える。設置作業者が、トルク限界値まで上昇するトルクを印加すると、キャップ１１０は、トルクのさらなる印加を防止するように変形する。例えば、表面特徴部９６は、図１０Ａおよび図１０Ｂに関して上述したように、トルク限界値に達すると変形するまたは「丸みを帯びる」。代替的な一例では、第１の部分９２の凹状部分は、キャップ１１０がねじヘッド８２をもはや緊密に把持できない程度に変形する。例えば、六角レンチ延長部１１２の６つの平表面１１４および／または凹状領域を囲む６つの平表面１１６が、変形し得るまたは丸みを帯び得る。
【００４２】
上述の様々な例では、ねじ山付き固定部材は、ねじとして説明される。代替的な例では、オーバートルク防止デバイスは、種々のタイプのドライバと共に使用するように構成された他のタイプの固定具ヘッドを有する、ボルトおよび六角ナットを含む他のタイプの固定具に対して装着され得る。オーバートルク防止デバイスの特定の表面が、例えば他のタイプの固定具ヘッドと共に使用するのを可能にするために他の形状を有してもよいことが理解されよう。さらに、上記に示した説明を鑑みて、具体的な材料、形状、特徴、および／または寸法は、変更が可能であり、特定の用途向けに望ましいトルク限界値を実現するように選択されてもよい点が理解されよう。
【００４３】
複数の実装形態を説明した。しかし、前述の説明は例示を目的とするものであり、特許請求の範囲により定義される本発明のコンセプトの範囲を限定するようには意図されない点が理解されよう。他の例が、以下の特許請求の範囲内に含まれる。
【符号の説明】
【００４４】
１０  シーリングスピーカシステム
１２  筐体
１４  ばね付きタブ
１６  ブラケット
１８  ねじ山付きロッド
２０  六角袋ナット、袋ナット
２２  矩形グリル
２４  フランジ
３２  第１のブラケット部分
３４  第２のブラケット部分
３６  第３のブラケット部分
３８  開口
４０  開口
４２  セクション
５０  第１のタブ部分
５１  ねじ山付き通路
５２  停止表面
５４  第２のタブ部分
５６  外側表面
５７  天井クランプ表面、天井接触表面
５８  ばねワイヤ
６０  軸、天井
６１  エッジ
６２  タブクランプ
６６  上部表面
６８  下部表面
７０  ねじ
７２  ヘッド、ねじヘッド
７４  ねじ山付き部分
７６  「＋」形状の凹状特徴部
７８  平表面
８０  ねじ
８２  ヘッド、ねじヘッド
８４  ねじ山付き部分
８６  六角ソケット凹状特徴部
８８  平表面
９０  オーバートルク防止デバイス、キャップ
９２  第１の部分
９４  第２の部分
９６  表面特徴部
１００  表面
１１０  オーバートルク防止デバイス、キャップ
１１２  六角レンチ延長部
１１４  平表面
１１６  平表面
【図１Ａ】
2019537912.tif 000003
【図１Ｂ】
2019537912.tif 000004
【図２】
2019537912.tif 000005
【図３Ａ】
2019537912.tif 000006
【図３Ｂ】
2019537912.tif 000007
【図３Ｃ】
2019537912.tif 000008
【図４】
2019537912.tif 000009
【図５】
2019537912.tif 000010
【図６】
2019537912.tif 000011
【図７Ａ】
2019537912.tif 000012
【図７Ｂ】
2019537912.tif 000013
【図７Ｃ】
2019537912.tif 000014
【図７Ｄ】
2019537912.tif 000015
【図８Ａ】
2019537912.tif 000016
【図８Ｂ】
2019537912.tif 000017
【図８Ｃ】
2019537912.tif 000018
【図９Ａ】
2019537912.tif 000019
【図９Ｂ】
2019537912.tif 000020
【図１０Ａ】
2019537912.tif 000021
【図１０Ｂ】
2019537912.tif 000022
【図１１Ａ】
2019537912.tif 000023
【図１１Ｂ】
2019537912.tif 000024
【国際調査報告】
2019537912.tif 000025
2019537912.tif 000026